(57)【要約】【課題】導電性クリップによる電気接続する際に、人手による導電性クリップを握る操作の繰り返しによる握力の低下により作業時間を要したり、接続端子を傷付けたりすることがない電気接続具を提供する。【解決手段】リード線１と、これに接続された導電性クリップ２と、該導電性クリップ２の把持部２４に押圧嵌合し摺動することで挟持部２６を開閉できる中空筒体３を備え、該中空筒体３の長さは導電性クリップ２の長さより小さくし、直径は把持部２４の一番狭い部分の狭さの直線距離よりは大きくし、一番広い部分の広さの直線距離よりは小さくし、電気接続するに当たり、中空筒体３の移動により挟持部２６の開閉を出来るようにし、接続操作を簡単に出来るようにした。【選択図】図１
0003219225.tif 000002
【実用新案登録請求の範囲】
【請求項１】
リード線と、リード線の少なくとも一端に接続された導電性クリップと、該導電性クリップの挟持部を開閉するテーパー形状に形成された把持部に押圧嵌合し摺動することで把持部を押圧して挟持部を開閉できる中空筒体を備え、該中空筒体の長さは導電性クリップの長さより小さく、把持部を摺動する部分の中空部の直径は均一であり、その直径は導電性クリップのテーパー形状の把持部の一番狭い部分の狭さの直線距離よりは大きくし、テーパー形状の挟持部の一番広い部分の広さの直線距離よりは小さくしたことを特徴とする電気接続具。
【考案の詳細な説明】
【技術分野】
【０００１】
本考案は、鉛蓄電池を電槽化成する際に蓄電池間の接続等に用いられる電気接続具に関するものである。
【背景技術】
【０００２】
電槽内に正極板と負極板を、セパレータを介して交互に積層してなる極板群を収納し、電槽蓋を施し電解液を注液して成る鉛蓄電池では、正・負極板は、まず、未化成極板として製造され、その後、化成処理されることにより化成極板となる。この化成方法としては、専用の化成槽を用いて化成極板を作製するタンク化成と、未化成極板を組立てて極板群を作製し、この極板群を戦争に収納して、電槽内に電解液を注液して通電を行う電槽化成がある。しかしながら、タンク化成では専用の化成槽を用いて化成を行う工程が必要で電槽化成に比べ製造工程が多くなるため、近年では、構造的に電槽化成が困難な鉛蓄電池を除き、化成方法として電槽化成による方法が多く採用されている。この電槽化成時には、電源との接続や複数の蓄電池を直列又は並列接続する為に、リード線の一端又は両端に導電性クリップを接続した電気接続具を用い、導電性クリップで蓄電池の端子を挟み電気接続して充放電電流を流すことが行われている。
【０００３】
この際に用いられる導電性クリップが接続されたリード線からなる電気接続具としては、特許文献１に記載される様な一対のクリップ片からなるワニ口クリップがリード線の一端に接続されたものがある。
【先行技術文献】
【特許文献】
【０００４】
【特許文献１】実開平５−５５４６７号公報
【考案の概要】
【考案が解決しようとする課題】
【０００５】
導電性クリップによる蓄電池の端子間等の電気接続は、その取付け・取外しが容易であるため、多数の処理を行う時は有効な接続方法であるが、通電電流が大きくなるに従って、バネの力が強くなり、人手による接続作業を多数繰り返す場合、手の握力が弱り接続作業時間が長くなるとか、鉛蓄電池の端子を傷付けたりすることがあるなどの問題があった。
【課題を解決するための手段】
【０００６】
本考案は、これらの課題を解決したもので、リード線と、リード線の少なくとも一端に接続された導電性クリップと、導電性クリップの挟持部を開閉するテーパー形状に形成された把持部に押圧嵌合し摺動することで挟持部を開閉できる中空筒体を備え、該中空筒体の長さは導電性クリップの長さより短く、把持部を摺動する部分の中空部の直径は均一であり、その直径はテーパー形状の把持部の一番狭い部分の狭さの直線距離よりは大きくし、テーパー形状の把持部の一番広い部分の広さの直線距離よりは小さくしたことを特徴とする電気接続具である。
【０００７】
この様に、本考案の電気接続具は、導電性クリップの挟持部を開閉するための中空筒体を備えるので、導電性クリップの挟持部を開閉するのに、把持部をその都度手で握って開き、握りを緩めて閉じるのではなく、中空筒体内へ把持部を嵌め入れ、中空筒体を摺動させることでテーパー形状に形成されている把持部を押圧して、挟持部を開閉することができ、握力を要さずに蓄電池間等の接続作業ができるので、接続作業を多数繰り返し行っても接続作業時間が長くなることもなく、また蓄電池の端子も傷付けることもなく、その接続操作を簡単に行うことが出来る。
【考案の効果】
【０００８】
本考案によれば、手の握力を要さず導電性クリップの挟持部を開閉できるので、接続作業時間が握力の衰えにより長くなることはなく、また端子を傷付ける恐れもなくなり、接続操作を簡単に行うことが出来る等の効果を奏するものである。
【図面の簡単な説明】
【０００９】
【図１】本考案の一実施形態と使用法を説明するための平面図であり、（ａ）は使用前の平面図、（ｂ）は挟持部を開いた状態の平面図、（ｃ）は挟持部を端子に接続した状態の平面図である。
【図２】鉛蓄電池の斜視図である。
【図３】本考案の実施形態の電気接続具を用いた蓄電池間の接続の概念図である。
【図４】中空筒体の他の実施形態を示す斜視図で、（ａ）は中空円筒体、（ｂ）は中空四角形筒体である。
【考案を実施するための形態】
【００１０】
図面に基づき、本考案の実施形態を説明する。
【００１１】
図１は、本考案の一実施形態と使用法を説明するための平面図で、（a）は使用前の電気接続具を示す図で、リード線１の両端に導電性クリップ２を接続すると共に、両端に位置する導電性クリップ２の間に中空筒体３を２個備えたものである。
【００１２】
リード線１は公知の電気を伝導する金属線を絶縁チューブで覆って構成されたものであり、折曲自在である。
【００１３】
導電性クリップ２は金属又は合金から出来ており、公知のものと同一の構成であり、それぞれ折り曲げ加工された一対の金属製のクリップ片２１、２１からなり、一方のクリップ片２１に他方のクリップ片２１が枢着された枢着部２２において回動自在に取り付けられ、一対のクリップ片２１、２１間にバネ２３が設けられテーパー形状に形成されてなる把持部２４と、一方のクリップ片２１を他方のクリップ片２１に形成された穴内に通した交差部２５を介して互いに当接して閉鎖している挟持部２６と、リード線１を接続する為のボルト２７を備えて形成されている。この様に形成された導電性クリップ２はテーパー形状になっている把持部２４を手で握りバネ２３の長さを縮小することで挟持部２６が開放するので、これを電気機器の接続端子周囲に接近し、把持部２４の握りを弱めてバネ２３の長さを伸ばすことで、挟持部２６を狭めて電気機器の接続端子を挟持して接続するものである。接続を外す時は再び把持部２４を握り挟持部２６を開いて導電性クリップ２を外すものである。
【００１４】
中空筒体３は硬質の合成樹脂からなり中空の断面円形を有する円筒体で構成され、その長さは導電性クリップ２の長さより短くし、中空部の直径は同一に形成されているが、一端部のみ直径を小さくし中空部も含め縮小された縮小部３１を形成した。この中空筒体３は、導電性クリップ２の把持部２４を人による握り操作と同じことをする為のもので、リード線１に導電性クリップ２を接続する前に、中空筒体３の中空部内にリード線１を通し縮小部３１が導電性クリップ２の対向面とは反対側になる後端に位置する様に備えられている。なお、中空筒体３の縮小部３１を除く外周面３２は凸凹に形成され人手による操作がよりし易いように構成されている。
【００１５】
この様に構成された電気接続具は、例えば図２に示す様な鉛蓄電池４を電槽化成する際に鉛蓄電池４を互いに直列接続する際に用いられる。鉛蓄電池４は、図２に示す通り、正極板と負極板をセパレータを介して交互に積層した極板群を収納した電槽４１に蓋４２を施し、蓋４２の上面には正極と負極の端子４３、４３がそれぞれ突出形成され、更に、蓋４２に形成された電解液を注液する為の注液孔を封鎖する為の安全弁を備える注液栓４４がある。
【００１６】
この鉛蓄電池４を電槽化成するに際し、図１（ａ）で示した電気接続具のリード線１を片手で持ち、他方の手で中空筒体３を掴み、その先端を導電性クリップ２の把持部２４へと前進させ、図１（ｂ）に示す様に導電性クリップ２の把持部２４を中空筒体３の中空内へ嵌合し、直径同一に形成された中空部の内側面にクリップ片２１が接触し、把持部２４に押圧嵌合し摺動により更に前進させることで先端の挟持部２６を開放し、接続部である鉛蓄電池４の端子４３に接近させ導電性クリップ２の開放した挟持部２６内に端子４３を位置させ、中空筒体３を後退させ導電性クリップ２の把持部２４からリード線１側へ後退摺動させて図１（ｃ）に示す通り、１個の鉛蓄電池４の正極端子４３と隣の鉛蓄電池４の負極端子４３をそれぞれ導電性クリップ２、２の挟持部２６、２６で挟持し電気的に接続することが出来る。
【００１７】
中空筒体３を後退摺動する際は中空筒体３の長さが導電性クリップ２の長さより短いので、中空筒体３を掴んでいる手の中指と薬指と小指で導電性プリップ２のボルト２７が設けられている後端部を掴み、親指と人差し指で中空筒体３の先端を掴みゆっくりと後退させることができ、片手で行えて操作もやり易く、急激に後退させることによる端子の傷付けの恐れを防止することが出来る。
【００１８】
同様にして多数の本考案の一実施形態の電気接続具を用いて、多数の鉛蓄電池４の隣接する鉛蓄電池４の端子４３間を接続し、全ての鉛蓄電池４を直列接続し、残った端子４３に充放電装置からのリード線１を接続して充放電電流を供給することで鉛蓄電池４を電槽化成するものである。この接続の概念図を図３に示した。図３において、図１、図２と同じ符合は同じものを示し、符号５は商用電源に接続されている充放電装置を示す。この図３において、充放電装置５と鉛蓄電池４の接続をする電気接続具は本考案の他の実施形態であるリード線１の一端にのみ導電性クリップ２を接続し中空筒体３を備えるものを図示した。なお、この図３では、３個の鉛蓄電池４が直接接続されている図を示しているが、実際はもっと多くの鉛蓄電池４が接続されるが省略した。更に鉛蓄電池４の電槽化成が終われば新たに鉛蓄電池４を並べ本件一実施形態の電気接続具を用いて接続し電槽化成をすることを繰り返すものである。
【００１９】
本考案の電気接続具において、中空筒体３の長さは導電性クリップ２の長さより短く、中空筒体３の把持部２４に押圧嵌合し摺動する部分の中空部の直径は均一に形成され、その直径はテーパー形状の把持部２４の一番狭い部分の直線距離（Ｘ）より大きくしテーパー形状の挟持部２６のバネ２３が設けられている近傍の一番広い部分の広さの直線距離（Ｙ）よりは小さくすることで、中空筒体３が長い事によるリード線を曲げ難くなるなどの動作の支障を無くし、接続操作もやり易く出来る。更に中空筒体３を導電性クリップ２へ前進摺動することよりその中空部の内側面のクリップ片２１との接触部で把持部２４に押圧嵌合され前進摺動距離に従って押圧して挟持部２６を広げることができ、後退により挟持部２６の間隔を後退摺動距離に従って押圧を弱めて挟持部２６を狭めることが出来る。この際、把持部２４の一番狭い部分の狭さの直線距離（Ｘ）より大きくすることは把持２４部へ中空筒体を摺動させる為に必要であり、一番広い部分の広さの直線距離（Ｙ）より小さくすることは把持部２４を押圧する為に必要である。直径の最大は、接続する為に挟持部２６をどれだけ広げる必要があるかにより適宜決定し得る。
【００２０】
上記実施形態においては中空筒体３に把持部２４の押圧摺動動作とは直接関係のしない縮小部３１を形成したものを示したが、これは、中空筒体３の縮小部３１が導電性クリップに係止され必要以上に中空筒体３を前進摺動しないようにする為のもので、必ずしも必要ないが、前進摺動した際に中空筒体３の縮小部が導電性クリップ２に引っ掛かり必要以上に前進することを止めてくれるのであった方が便利である。
【００２１】
なお、バネ２３の強さにより、中空筒体３の把持部２４への押圧嵌合が困難となり挟持部２６を開放できない場合があるが、その場合は、中空筒体３を掴む手の親指と人差し指で把持部２４を掴みバネ２３を少し縮め薬指や小指で前進させて前進摺動させ易くすることが片手で出来、操作がやり易い。この様な操作も中空筒体３の長さ導電性クリップ２より短くしたから簡単に出来るものであり、前記した中空筒体３の後退摺動の場合も含め接続操作を簡単にし得るものである。そして、端子４３を挟持した場合は導電性クリップ２の挟持部２６は使用前の閉鎖している状態ではなく図１の（ｃ）に示される如くある程度開いている状態であるので中空筒体３の摺動に困る事は無い。更に、端子に接続され挟持部２６の開きがある程度開いている場合は中空筒体３から手を離した場合、リード線１上へ戻る場合もあるが、端子４３から外すべく中空筒体３を把持部２４の先方へ前進摺動させた場合は手を離しても戻されることはない。従って、最初に手で握る場合があっても、使用中は、中空筒体３が完全に前方へ移動させられた状態と端子４３を挟持する状態の繰り返しであるので、中空筒体３の移動のみで接続が可能となる。従って、手で導電性クリップ２の把持部２４を握る操作は最初のみであり、その後は中空円筒の摺動操作のみで、導電性クリップ２の挟持部２６の開閉を行うことができるので、握力が弱り作業に時間が長くなることはなく、端子４３を傷付けることもない。
【００２２】
又、導電性クリップ２を端子４３から外した状態で中空筒体３が把持部２４の先方へ前進摺動させた状態で保持される為、次に端子４３に導電性クリップ２を取り付ける場合には、導電性クリップ２の挟持部２６は使用後の開いている状態であるので中空筒体３を後退させるのみで導電性クリップ２は端子４３を挟持する事が出来る。この為、１動作を省略出来、作業性の向上が図れる。
【００２３】
なお、中空筒体３としては図５（ａ）に示す様な、筒体の前後や外表面に何らの手を加えない単純な中空円筒体であっても良いし、図５（ｂ）に示すような四角形の中空四角形筒体であっても良い。しかし、いずれの場合も、中空筒体３の長さは導電性クリップ２の長さより小さく、把持部２４を摺動する部分の中空部の直径は均一であり、その直径は導電性クリップ２のテーパー形状の把持部２４の一番狭い部分の狭さの直線距離よりは大きくし、テーパー形状の把持部２４の一番広い部分の広さの直線距離よりは小さくすることが必要である。なお、（ｂ）に示す中空四角形筒体は、図面上横方向に切断した断面正四角形の中空部を有するものを示したが、その断面形状を長方形にする場合は、把持部を摺動する両側面の内面の距離を導電性クリップ２のテーパー形状の把持部２４の一番狭い部分の狭さの直線距離よりは大きくし、テーパー形状の挟持部２４の一番広い部分の広さの直線距離より小さくすれば良く、それ以外の側面の距離は手で掴み操作するのに支障とならない様にすれば良い。
【００２４】
以上の通り、本考案によれば、筒体の前後摺動により導電性クリップの挟持部の開閉ができるので、従来の様に手による握りを繰り返す必要がなくなるので、接続作業時間が長くなることはなく、端子の損傷も防止出来、接続操作も簡単に出来るものである。
【符号の説明】
【００２５】
１    リード線
２    導電性クリップ
２１  クリップ片
２４  把持部
２６  挟持部
３    中空筒体
４    鉛蓄電池
【図１】
0003219225.tif 000003
【図２】
0003219225.tif 000004
【図３】
0003219225.tif 000005
【図４】
0003219225.tif 000006